(57)【要約】【課題】安定した高速処理が可能であり、また、省スペース化を実現することが可能な、動力を使用せずに硬貨を選別する硬貨選別装置を提供する。【解決手段】動力を使用せずに硬貨を金種ごとに選別する硬貨選別装置1であって、硬貨投入口2と、硬貨投入口2に投入された硬貨が転動する硬貨通路と、硬貨通路を転動する外径が一定値以上の硬貨を分岐させるための分岐用突起6とを有し、硬貨通路は、少なくとも床面4と外壁5とを有するものであって、硬貨投入口2に投入された硬貨が遠心力によって外壁5に接触しながら転動するような螺旋形状となっており、分岐用突起6は、外径が前記一定値以上の硬貨を硬貨通路の螺旋形状の中心軸の側へ分岐させるものであることを特徴とする。【選択図】図１
2017084098.tif 000002
【特許請求の範囲】
【請求項１】
動力を使用せずに硬貨を金種ごとに選別する硬貨選別装置であって、
硬貨投入口と、前記硬貨投入口に投入された硬貨が転動する硬貨通路と、前記硬貨通路を転動する外径が一定値以上の硬貨を分岐させるための分岐用突起とを有し、
前記硬貨通路は、少なくとも床面と外壁とを有するものであって、前記硬貨投入口に投入された硬貨が遠心力によって前記外壁に接触しながら転動するような螺旋形状となっており、
前記分岐用突起は、外径が前記一定値以上の硬貨を前記硬貨通路の螺旋形状の中心軸の側へ分岐させるものである
ことを特徴とする硬貨選別装置。
【請求項２】
請求項１に記載の硬貨選別装置であって、
前記分岐用突起は、外径が前記一定値以上の硬貨を前記分岐用突起に接触させて前記硬貨通路の螺旋形状の中心軸の側へ分岐させ、それ以外の硬貨を前記分岐用突起に接触させることなく前記分岐用突起の下面の下を通過させることを特徴とする硬貨選別装置。
【請求項３】
請求項２に記載の硬貨選別装置であって、
前記分岐用突起は前記外壁から前記硬貨通路の螺旋形状の中心軸の方向に延伸する板状部材であり、前記板状部材は硬貨の進行方向に進むにつれて前記外壁から長く延伸していることを特徴とする硬貨選別装置。
【発明の詳細な説明】
【技術分野】
【０００１】
この発明は、硬貨を、動力を使用することなく、金種ごとに選別する硬貨選別装置に関する。
【背景技術】
【０００２】
動力を使用することなく硬貨を金種ごとに選別する仕組みとして、従来から硬貨の外径の違いを利用して硬貨を選別する方法が存在している。このように硬貨の外径の違いを利用して硬貨を選別する方法としては、特許文献１（特開平６−９６３２２号公報）に開示されているような、硬貨が転動する直線状の硬貨通路の側壁に外径が一定の値よりも小さい硬貨だけを落下させるための穴を設けて、その穴にその硬貨を落下させることによって硬貨を選別するものが一般的である。また、その他の硬貨の外径の違いを利用して硬貨を選別する方法としては、硬貨が転動する直線状の硬貨通路の側壁に外径が一定の値よりも大きい硬貨だけを分岐させるための分岐ガイドを設けて、その分岐ガイドによってその硬貨を分岐させるものが、特許文献２（特開平８−３３５２８４号公報）及び特許文献３（特許第５４００２４８号公報）に開示されている。
【先行技術文献】
【特許文献】
【０００３】
【特許文献１】特開平６−９６３２２号公報
【特許文献２】特開平８−３３５２８４号公報
【特許文献３】特許第５４００２４８号公報
【発明の概要】
【発明が解決しようとする課題】
【０００４】
従来の硬貨選別装置では、直線状の硬貨通路を用いるものであるため、選別する硬貨の金種が増えるほど長い硬貨通路が必要となる。そのため、選別する硬貨の金種が増えるほど硬貨選別装置を設置するために必要なスペースが大きくなってしまうという問題が存在する。また、直線状の硬貨通路を用いる従来の硬貨選別装置では、硬貨通路内を転動する硬貨が振動などの外乱によって硬貨の厚み方向に振れやすいという問題が存在する。また、硬貨通路の側壁に設けられた穴に硬貨を落下させることによって硬貨を選別する従来の硬貨選別装置では、硬貨の転動方向と落下方向が異なることから、転動から落下のタイミングで移動速度が遅くなり、そのため、複数の硬貨が連なって投入された場合に、硬貨の滞りや詰まりが発生しやすいという問題が存在する。
【０００５】
本発明は、上記の問題に鑑み、安定した高速処理が可能であり、また、省スペース化を実現することが可能な、動力を使用せず硬貨を選別する硬貨選別装置を提供することを課題とする。
【課題を解決するための手段】
【０００６】
上記課題を解決するために、請求項１の硬貨選別装置は、動力を使用せずに硬貨を金種ごとに選別する硬貨選別装置であって、硬貨投入口と、前記硬貨投入口に投入された硬貨が転動する硬貨通路と、前記硬貨通路を転動する外径が一定値以上の硬貨を分岐させるための分岐用突起とを有し、前記硬貨通路は、少なくとも床面と外壁とを有するものであって、前記硬貨投入口に投入された硬貨が遠心力によって前記外壁に接触しながら転動するような螺旋形状となっており、前記分岐用突起は、外径が前記一定値以上の硬貨を前記硬貨通路の螺旋形状の中心軸の側へ分岐させるものであることを特徴とする。
【０００７】
請求項２の硬貨選別装置は、請求項１に記載の硬貨選別装置であって、前記分岐用突起は、外径が前記一定値以上の硬貨を前記分岐用突起に接触させて前記硬貨通路の螺旋形状の中心軸の側へ分岐させ、それ以外の硬貨を前記分岐用突起に接触させることなく前記分岐用突起の下面の下を通過させることを特徴とする。
【０００８】
請求項３の硬貨選別装置は、請求項２に記載の硬貨選別装置であって、前記分岐用突起は前記外壁から前記硬貨通路の螺旋形状の中心軸の方向に延伸する板状部材であり、前記板状部材は硬貨の進行方向に進むにつれて前記外壁から長く延伸していることを特徴とする。
【発明の効果】
【０００９】
本発明の硬貨選別装置によれば、硬貨の選別を安定して高速に処理することが可能であり、また、省スペース化を実現することが可能である。
【図面の簡単な説明】
【００１０】
【図１】本発明の実施形態の硬貨選別装置の斜視図である。
【図２】本発明の実施形態の硬貨選別装置の分岐用突起の周辺を拡大して示した要部拡大斜視図であり、（ａ）は硬貨が存在していない状態を示し、（ｂ）は硬貨が存在している状態を示している。
【図３】本発明の実施形態の硬貨選別装置における分岐用突起と硬貨との位置関係を示めす要部断面図であり、（ａ）は硬貨が分岐させられずに通過している状態を示し、（ｂ）は硬貨が分岐させられている状態を示している。
【図４】本発明の別の実施形態である内壁を設けない構成を採用した硬貨選別装置の要部拡大斜視図である。
【発明を実施するための形態】
【００１１】
以下、本発明の実施形態の硬貨選別装置を図面に基づいて説明する。
【００１２】
図１は、本発明の実施形態の硬貨選別装置1の斜視図である。この硬貨選別装置1は、５００円硬貨、１０円硬貨、１００円硬貨、５円硬貨、５０円硬貨及び１円硬貨の６つの金種の硬貨を選別することが可能なものであり、硬貨投入口2と、硬貨受入部3と、床面4と、外壁5と、５つの分岐用突起6と、６つの硬貨落下穴7と、内壁8と、６つの硬貨収納部9とを有している。
【００１３】
硬貨受入部3は、硬貨投入口2から投入された硬貨を下流の硬貨通路へ滑らかに誘導するために底部が硬貨の進行方向に沿って曲線状に形成された硬貨通路を有している。床面4と外壁5と内壁8との間の空間が、硬貨が通過するための硬貨通路となっている。硬貨通路は、上からみて円弧状になっており、硬貨通路を構成する床面4は硬貨の進行方向に向かって下るように傾斜している。そのため、硬貨通路は全体としてみると螺旋形状になっている。分岐用突起6は、硬貨通路を転動する硬貨のうち外径が一定の値よりも大きな硬貨のみを螺旋形状の中心軸の側へ分岐させるものとなっている。硬貨落下穴7は、分起用突起6によって分岐させられた硬貨の進行方向の先に設けられており、その硬貨を落下させるものである。内壁8は、外壁5に対抗するとともに、硬貨落下穴7を取り囲むように設けられている。硬貨収納部9は、硬貨落下穴7の下方に設けられており、硬貨落下穴7に落下した硬貨を収納するものである。
【００１４】
硬貨通路における外壁5と内壁8との間の距離は、曲線状に形成された硬貨通路を硬貨が転動可能な幅よりも余裕を持ったものとなっている。硬貨選別装置1の硬貨投入口2に投入されて硬貨通路を転動する硬貨は、硬貨通路が螺旋形状となっていることから生じる遠心力によって、外壁5に張り付くように転動することになる。逆にいうと、床面4の傾斜角と螺旋形状の硬貨通路の曲率とは、硬貨が外壁5に張り付くように転動することを可能にするだけの遠心力が生じるように設定されている。そのため、投入された硬貨は、振動などの外乱の影響を受けたとしてもその厚み方向への振れが抑えられ、その厚みの方向に余裕を持った幅の硬貨通路内を安定して転動することになる。
【００１５】
この実施形態の硬貨選別装置1では、硬貨通路の外壁5に沿って５つの分岐用突起6が設けられている。この分岐用突起6によって、特定の金種の硬貨が分岐されることになる。この分岐用突起6は、選別を行う金種の数より１つ少ない数だけ設けられており、外径の大きな硬貨から順に分岐させるようになっている。外径の一番小さい硬貨については分岐させる必要がないため、それに対応する分岐用突起6は設けられていない。
【００１６】
図２は、この実施形態の硬貨選別装置1の分岐用突起6の周辺を拡大して示した要部拡大斜視図であり、（ａ）は硬貨が存在していない状態を示し、（ｂ）は硬貨が存在している状態を示している。図３は、この実施形態の硬貨選別装置1における分岐用突起6と硬貨との位置関係を示めす要部断面図であり、（ａ）は硬貨が分岐させられずに通過している状態を示し、（ｂ）は硬貨が分岐させられている状態を示している。
【００１７】
この実施形態の硬貨選別装置1の分岐用突起6は、外壁5から螺旋形状の中心軸の方向に延伸する略三角形の板状部材で構成されている。この略三角形の板状部材は、転動する硬貨の進行方向に進むにつれて外壁5から長く延伸するものとなっている。分起用突起6の下面の高さ位置は、分岐させる硬貨の外径よりも低く、次に外径が大きな硬貨の外径よりも高くなるように設定されている。そのため、硬貨通路内を転動して分岐用突起6に到達した硬貨は、この分岐用突起6の下面の高さ位置よりも外径が小さい場合は、分岐用突起6の下を外壁5に沿ってそのまま通過することになる。一方、この分岐用突起6の下面の高さ位置よりも外径が大きい硬貨は、この分岐用突起6の外縁に接触して、その進行方向が分岐用突起6の外縁に沿った方向に変化させられることになる。なお、この分岐用突起6は、分岐させられる硬貨が分岐用突起6の外縁に沿って進行しているときに常に硬貨の上端部付近と接触した状態となるように、その下面が外壁5から離れるほど下方に湾曲した形状をしている。
【００１８】
また、分岐用突起6の下方の床面4における分岐されない硬貨が通過する領域と分岐された硬貨が通過する領域との間に硬貨が通過する領域の床面より１ｍｍ程度盛り上がった領域を設けることによって、分岐用突起6の下方の床面4の外壁5から一定の距離を経た場所に、硬貨が通過する領域の床面より１ｍｍ程度高くなる段差11が設けられている。通常は、硬貨投入口2に投入された硬貨は遠心力によって外壁5に張り付くように転動するが、外部からの衝撃などによって硬貨に働く遠心力が小さくなるなどの何らかの理由によって、硬貨の下端部が外壁5から離れてしまう場合がある。この段差11は、このような場合に、硬貨の下端部が外壁5から離れる方向へ滑ることを防止するためのものである。しかし、この段差11は必須のものではない。
【００１９】
また、この実施形態の硬貨選別装置1では、分岐用突起6の下面の高さ位置を調整するための調整手段が設けられている。具体的には、分岐用突起高さ調整ねじ10が設けられており、ねじを回転させることによって分岐用突起6を上下に少しずつ移動させることが可能となっている。この調整手段を設けるのは、製品単価を抑えるために装置を合成樹脂で作成することが考えられるが、合成樹脂を使用すると、寸法精度や反りの問題が発生する可能性が高くなるためである。十分な精度が確保できるのであれば、このような調整手段を設ける必要はない。
【００２０】
なお、この実施形態の硬貨選別装置1では、分岐用突起6が外壁5から延伸する板状のものとなっている。このように分岐用突起6を外壁から延伸する板状のものとすることによって、構成が単純であり、かつ、天井を設ける必要がなくなるため、メンテナンスが容易な硬貨選別装置とすることが可能となる。しかし、本発明の硬貨選別装置の分岐用突起6は、このような構造のものに限定されない。本発明の硬貨選別装置の分岐用突起6は、硬貨が分岐用突起6に到達したときに、分岐させる硬貨が分岐用突起6に接触して硬貨通路の螺旋形状の中心軸の側へ分岐させられ、分岐させない硬貨が分岐用突起6に接触することなく分岐用突起6の下面の下を通過するものであればよい。
【００２１】
この実施形態の硬貨選別装置1では、分起用突起6によって変化させられる進行方向の先に硬貨落下穴7が設けられている。分岐用突起6によってその進行方向を変化させられた硬貨は、この硬貨落下穴7へ落下することになる。また、硬貨通路の最後にも硬貨落下穴7が設けられており、外径の一番小さい硬貨がこの硬貨落下穴7へ落下することになる。この実施形態の硬貨選別装置1では、硬貨選別装置1に投入された硬貨は、５００円硬貨、１０円硬貨、１００円硬貨、５円硬貨、５０円硬貨の順で分岐されることになり、最後に残る１円硬貨は、分岐用突起6によって分岐させられることなく硬貨落下穴7へ落下することになる。
【００２２】
この実施形態の硬貨選別装置1の内壁8は、外壁5に対抗するとともに、硬貨落下穴7を取り囲むように設けられている。特に、分岐用突起6の周辺においては、内壁8は、分岐用突起6によって進行方向を変えられた硬貨が通過できるように、かつ、硬貨落下穴7を取り囲むように設けられている。
【００２３】
このように、この実施形態の硬貨選別装置1には内壁8が設けられている。しかし、硬貨選別装置1本体に投入された硬貨は遠心力によって外壁5に張り付いて転動するため、基本的に、硬貨が内壁8に接触することはない。そのため、内壁8を設けない構成とすることも可能である。図４は、内壁8を設けない構成を採用した本発明の別の実施形態の硬貨選別装置1の要部拡大斜視図である。このように、内壁を設けない構成とすることによって、より構成が単純でメンテナンスが容易な硬貨選別装置とすることが可能となる。なお、この実施形態の硬貨選別装置1においては、何らかの理由によって硬貨通路内を転動する硬貨の下端部が外壁5から離れてしまった場合における硬貨の下端の外壁5から離れる方向への滑りを防止するために、硬貨が通過する領域の床面より１ｍｍ程度高くなる段差11が設けられている。しかし、この段差11は必須のものではない。また、この実施形態の硬貨選別装置1の硬貨落下穴7は床面４に設けられた穴として構成されているが、本発明の硬貨選別装置1の硬貨落下穴7は、このようなものに限定されず、床面4と独立して設けられた別の硬貨通路の入口に対応するようなものであってもよい。
【００２４】
この実施形態の硬貨選別装置1の硬貨収納部9は、硬貨落下穴7の下方に設けられており、硬貨落下穴7に落下した硬貨を収納するものである。このように、この実施形態の硬貨選別装置1では、硬貨落下穴7の下方に硬貨収納部9が設けられているが、本発明の硬貨選別装置においては、この硬貨収納部9に代えて他の場所への誘導シュートなどを設ける構成とすることも考えられる。
【００２５】
以上において説明したとおり、本発明の実施形態の硬貨選別装置1においては、分岐用突起6の下面の高さを選別する硬貨ごとに設定することで、外径の異なる硬貨を選別して選別硬貨収納部9へ誘導する外径選別が可能となっている。そして、硬貨が分岐用突起6によって分岐させられる際の方向変化が少ないために、硬貨の移動速度が遅くなることがなく、硬貨が連なって投入された場合においても、硬貨の滞りや詰まりが発生する可能性が極めて低いものとなっている。また、硬貨通路が螺旋形状となっており、かつ、選別する硬貨を硬貨通路の螺旋形状の中心軸の側へ分岐させるものとなっているため、硬貨選別装置1を水平方向の広がりの小さなコンパクトなものとして構成でき、省スペース化を実現することが可能である。また、円形の外壁は剛性があることから、天井を設けない構成又は天井を容易に取り外すことができる構成の硬貨選別装置とすることが可能である。そのため、硬貨が詰まってしまった場合でも、その解除を簡単に行うことができるなどメンテナンスが容易な硬貨選別装置とすることが可能である。
【００２６】
以上、本発明の実施形態について説明したが、本発明の硬貨選別装置はこれらの実施形態に限定されるものではない。本発明の硬貨選別装置は、６つの金種の硬貨を選別するものに限定されず、５つ以下又は７つ以上の金種の硬貨を選別するものであってもよい。本発明の硬貨選別装置は、特許請求の範囲に記載の構成の中で種々の変更が可能であり、それらも本発明の技術的範囲に含まれるものである。
【符号の説明】
【００２７】
1  硬貨選別装置
2  硬貨投入口
3  硬貨受入部
4  床面
5  外壁
6  分岐用突起
7  硬貨落下穴
8  内壁
9  硬貨収納部
10  分岐用突起高さ調整ねじ
11  段差
C  硬貨
【図１】
2017084098.tif 000003
【図２】
2017084098.tif 000004
【図３】
2017084098.tif 000005
【図４】
2017084098.tif 000006